(57)【要約】【課題】刃物を保持する移動台における移動に伴う方向性を確保すると共に、抵抗を低減する。【解決手段】砥面８に刃体３が接触可能となるように砥面８又はこの砥面８と平行な面内を移動自在な刃物１の保持台５を設け、砥面８又はこの砥面８と平行な面を転動するローラー６を保持台５に設ける。ローラー６は保持台５の左右両側に設けられている。研ぎ具４と砥面８との接触は線接触状や点接触状に近くなるので、移動に伴う摩擦を低減して研ぎ作業を行うことができる。ローラー６間の幅が保持台５の幅より大きくなりローラー６が転動して移動するときの左右のぶれなどが少なくなり安定性を向上することができる。【選択図】図１
0003136095.tif 000002
【実用新案登録請求の範囲】
【請求項１】
砥面に刃体が接触可能となるように前記砥面又はこの砥面と平行な面内を移動自在な刃物の保持台を設けた刃物の研ぎ具において、前記砥面又はこの砥面と平行な面を転動する円形のローラーを前記保持台に設けたことを特徴とする刃物の研ぎ具。
【請求項２】
前記保持台には該保持台の前後方向に設けられる第１の中心軸線と平行に前記刃物の第２の中心軸線が配置される固定手段が設けられており、前記ローラーは前記第１の中心軸線の左右に配置されると共に、これら左右の前記ローラーの中心軸の軸線を結ぶ第３の中心軸線は前記第１の中心軸線と平面視交差することを特徴とする請求項１記載の刃物の研ぎ具。
【請求項３】
前記第３の中心軸線は前記第１の中心軸線と直交することを特徴とする請求項２記載の刃物の研ぎ具。
【請求項４】
前記ローラーは前記保持台の左右両外側に設けられていることを特徴とする請求項１〜３のいずれか１項に記載の刃物の研ぎ具。
【請求項５】
前記保持台は前記第３の中心軸線より上方に配置されることを特徴とする請求項２記載の刃物の研ぎ具。
【請求項６】
前記固定手段は、前記刃物が挿入可能で前記第２の中心軸線を中心とした内幅が拡縮可能な略筒形状部材であって、該略筒形状部材は左右一対或いは上下一対の略半筒形状部材からなることを特徴とする請求項２、３又は５のいずれか１項に記載の刃物の研ぎ具。
【請求項７】
前記左右一対或いは上下一対の略半筒形状部材に緊締手段を設けたことを特徴とする請求項６記載の刃物の研ぎ具。
【考案の詳細な説明】
【技術分野】
【０００１】
本考案は、彫刻刀、ナイフ或いは鑿などの刃の付いている刃物の研ぎ具に関するものである。
【背景技術】
【０００２】
従来、この種のものとして平滑平面に整えられた砥面をもつ砥石とその砥面と平行な面内における移動自在な滑走台とを備え、滑走台は、柄付き刃物をその前端にて研ぎおろしをすべき表刃が全面又は少なくとも母線にて砥面と接する姿勢となるべき、長手方向の傾斜角度及び軸心のまわりの回転角度の調節とその抑止拘束を可能として保持する刃物受けを有するものであって、柄付き刃物の握りの上面を作業者の指先により刃物受け上に抑止して保持しつつ滑走台を砥面平行な面上にて平面接触させて摺動させることにより刃を研ぐことができるというものである（例えば、特許文献１）。
【特許文献１】特開２００２−４６０４３号公報
【考案の開示】
【考案が解決しようとする課題】
【０００３】
しかし、従来技術においては、柄付き刃物を保持した滑走台が砥面平行な面上にて摺動する状態は比較接触面積の大きい平面接触によるものであったので、移動方向を定めにくく、また柄付き刃物を動かすときには、刃物の柄を下方に押圧しながら前後に移動する必要があるので、平面接触ではその接触抵抗は大きくなる傾向があり、この結果いっそう刃物を移動しにくくなるという問題が生ずる。
【０００４】
解決しようとする問題点は、刃物を保持して砥石またはその砥面と平行な面内における移動自在で刃物を保持する移動台における移動に伴う方向性を確保すると共に、抵抗を低減する点である。
【課題を解決するための手段】
【０００５】
請求項１の考案は、砥面に刃体が接触可能となるように前記砥面又はこの砥面と平行な面内を移動自在な刃物の保持台を設けた刃物の研ぎ具において、前記砥面又はこの砥面と平行な面を転動する円形のローラーを前記保持台に設けたことを特徴とする刃物の研ぎ具である。
【０００６】
請求項２の考案は、前記保持台には該保持台の前後方向に設けられる第１の中心軸線と平行に前記刃物の第２の中心軸線が配置される固定手段が設けられており、前記ローラーは前記第１の中心軸線の左右に配置されると共に、これら左右の前記ローラーの中心軸の軸線を結ぶ第３の中心軸線は前記第１の中心軸線と平面視交差することを特徴とする請求項１記載の刃物の研ぎ具である。
【０００７】
請求項３の考案は、前記第３の中心軸線は前記第１の中心軸線と直交することを特徴とする請求項２記載の刃物の研ぎ具である。
【０００８】
請求項４の考案は、前記ローラーは前記保持台の左右両外側に設けられていることを特徴とする請求項１〜３のいずれか１項に記載の刃物の研ぎ具である。
【０００９】
請求項５の考案は、前記ローラーは前記保持台の左右両側に設けられていることを特徴とする請求項１〜３のいずれか１項に記載の刃物の研ぎ具である。
【００１０】
請求項６の考案は、前記固定手段は、前記刃物が挿入可能で前記第２の中心軸線を中心とした内幅が拡縮可能な筒形状部材は左右一対或いは上下一対の半筒形状部材であることを特徴とする請求項２又は５記載の刃物の研ぎ具である。
【００１１】
請求項７の考案は、前記左右一対或いは上下一対の半筒形状部材に緊締手段を設けたことを特徴とする請求項６記載の刃物の研ぎ具である。
【考案の効果】
【００１２】
請求項１の考案によれば、研ぎ具と砥面又はこの砥面と平行な面との接触面積はローラーにより小さくなるので、移動に伴う摩擦を低減して研ぎ作業を行うことができる。
【００１３】
請求項２の考案によれば、左右一対のローラーの向きを一定方向とするので、保持台に保持した刃体はローラーの向きにしたがって左右にぶれることなく一定方向に移動して研ぎ作業を行うことができる。
【００１４】
請求項３の考案によれば、ローラーによって保持台の移動を前後方向に案内することができる。
【００１５】
請求項４の考案によれば、ローラー間の幅を大きくするようして移動するときの左右のぶれなどを少なくすることができる。
【００１６】
請求項５の考案によれば、ローラーに対して刃物位置を高くして砥面に対する刃体の角度を大きい角度まで調整することができる。
【００１７】
請求項６の考案によれば、刃物の周面を保持して確実に保持することができる。
【００１８】
請求項７の考案によれば、緊締手段により、刃物をいっそう確実に保持することができる。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
図１〜２は実施例１を示しており、彫刻刀としての刃物１は、握り柄２の先端に平刃状の刃体３が前方へ向けて突設している。刃物１の研ぎ具４は、刃物１を保持するための保持台５が設けられる。保持台５にはローラー６を一体に設けている。このローラー６は、外周面６Ａが円形であって転がして使用するものであって、実施例では合成樹脂製の円板状である。尚、このローラー６は、円筒形や車輪のようにスポークやホイールを介して取付けるリング状であってもよい。そして、砥石７の砥面８に刃体３が接触可能となるように、ローラー６は、砥面８又はこの砥面８と平行な面内を移動するために、砥面８又はこの砥面８と平行な面に外周面６Ａが接地して転動するものである。
【００２１】
そして保持台５には該保持台５の前後方向に設けられる第１の中心軸線９と平行に、刃物１の第２の中心軸線１０が配置される固定手段１１が設けられる。この固定手段１１は、刃物１の握り柄２が挿入可能で第２の中心軸線１０を中心とした略円筒形状部材１２によって形成されており、この略円筒形状部材１２はその下部を保持台５の上面に固定し、さらに上部側を切り離す共にその切り離して左右一対の略半円筒形状部材１３，１３´を形成すると共に、一方の略半円筒形状部材１３に摘み１４が、他方の略半円筒形状部材１３´に摘み１４´が上向きに設けられる。そして、これらの左右一対の端部の間を狭めると略円筒形状部材１２の内幅Ａは拡径し一方、摘み１４，１４´から指を離すと復元力によって略円筒形状部材１２の内幅Ａは縮径して当初の径に復帰して、緊締手段である復元弾性力による緊締力によって握り柄２を固定できるようになっている。
【００２２】
さらに、前記移動用のローラー６は、第１の中心軸線９の左右に配置されるように保持台５の左右両側に配置されると共に、これら左右一対のローラー６の中心軸１５の軸線を結ぶ第３の中心軸線１６は平面視において第１の中心軸線９と直交して交差している。そして、この第３の中心軸線１６は保持台５より低く配置されており、また中心軸１５は保持台５の下部に設けた軸受１７にローラー６の中心軸１５を回動自在に接続している。すなわち、保持台５の刃物１の保持面５Ａは第３の中心軸線１６よりも上方に配置されており、このため握り柄２も保持台５の上方に固定されることとなる。
【００２３】
次に前記構成についてその作用を説明する。刃物１を研ぎ具４に取付けるには、まず左右一対の摘み１４Ａを摘んで狭めると、略円筒形状部材１２が拡径する。この状態で握り柄２を略円筒形状部材１２に挿入する。この際、握り柄２の長手方向のほぼ中間位置程度に略円筒形状部材１２を配置する。そして摘み１４Ａを緩めると復元力によって略円筒形状部材１２が縮径することにより、略円筒形状部材１２は握り柄２の周面を緊締して固定する。
【００２４】
次に刃体３を砥石７の砥面８に接触させて、握り柄２に下向きの力を加えて、保持台５を砥面８を前後に移動する。尚、実施例では砥面８を移動している。この際保持台５、ひいては刃物１は左右一対のローラー６が砥面８上を転動することにより移動しながら、刃体３の砥面８による研ぎ作業を行うことができる。
【００２５】
以上のように、前記実施例では請求項１に対応して、砥面８に刃体３が接触可能となるように砥面８を移動自在な刃物１の保持台５を設け、砥面８を転動するローラー６を保持台５に一体に設けたことにより、研ぎ具４と砥面８との接触は、面接触よりもはるかに面積が小さくなる線接触状や点接触状に近くなるので、移動に伴う摩擦を低減して研ぎ作業を行うことができる。
【００２６】
また、前記実施例では請求項２に対応して、保持台５には該保持台５の前後方向に設けられる第１の中心軸線９と平行に刃物１の第２の中心軸線１０が同軸状に配置される固定手段１１が設けられており、ローラー６は第１の中心軸線９の左右に配置されると共に、これら左右のローラー６の中心軸１５の軸線を結ぶ第３の中心軸線１６は第１の中心軸線９と交差することにより、刃物１の第２の中心軸線１０とローラー６の中心軸１５の軸線を結ぶ第３の中心軸線１６との角度を一定なものとすることができ、この結果左右一対のローラー６の向きを一定方向とすることができるので、保持台５、ひいては刃体３はローラー６の向きにしたがって左右にぶれることなく一定方向に移動して研ぎ作業を行うことができる。
【００２７】
さらに、前記実施例では請求項３に対応して、第３の中心軸線１６は第１の中心軸線９と直交することにより、ローラー６によって保持台５の移動を正確に前後方向に案内することができる。
【００２８】
また、前記実施例では請求項４に対応して、ローラー６は保持台５の左右両外側に設けられていることで、ローラー６間の幅を保持台５の幅より大きくできることで、ローラー６間の幅が保持台５の幅より小さいものに比較してローラー６が転動して移動するときの左右のぶれなどが少なくなり安定性を向上することができる。
【００２９】
さらに、前記実施例では請求項５に対応して、保持台５は第３の中心軸線１６より上方に配置されることにより、保持台５を第３の中心軸線１６より下方に配置した場合に比較して、砥面８に対する刃体３の角度を大きい角度まで調整することができる。
【００３０】
また、前記実施例では請求項６に対応して、前記固定手段１１は、刃物１が挿入可能で前記第２の中心軸線１０を中心とした内幅Ａが拡縮可能な略円筒形状部材１２であって、該略円筒形状部材１２は左右一対或いは上下一対の略半円筒形状部材１３，１３´からなるので、握り柄２の周面を保持して確実に刃物１を保持することができる。
【００３１】
しかも、前記実施例では請求項７に対応して、前記略円筒形状部材１２には該円筒形状部材１２の弾性復元力による緊締手段が設けられるので、握り柄２をいっそう確実に保持することができる。
【実施例２】
【００３２】
以下に、他の実施例を説明する。尚、前記実施例１と同一部分には同一符号を付し、その詳細な説明を省略する。
【００３３】
図３〜４は実施例２を示しており、通称目玉クリップと称せられる固定手段１１´を利用したものであり、この固定手段１１´は、板状の主体部２１の先方に、それぞれ左右一対の略半筒形状部材１３Ａを有する幅広の挟持部を形成して略Ｔ字状とした正面挟持片２２と背面挟持片２３を一対とし、正面挟持片２２の主体部２１の左右両側縁に後方への折り返し部２４を、背面挟持片２３の主体部２１の左右両側縁に前方への折り返し部２５を設け、正面挟持片２２の折り返し部２４と背面挟持片２３の折り返し部２５を貫通する軸２６によって正面挟持片２２と背面挟持片２３を回動自在に軸支し、軸２６に巻装して正面挟持片２２と背面挟持片２３間に介在する緊締手段たるバネ２７によって挟持部略半筒形状部材１３，１３´Ａを閉じる方向に付勢するようにしたものである。
【００３４】
そして、実施例１と同様に左右一対の略半筒形状部材１３Ａの下縁に、左右一対の保持台５´がそれぞれ設けられており、この保持台５´の左右方向の外側にローラー６が軸着されているものである。尚、半筒形状部材１３，１３´Ａの下縁を保持台５´として兼用して、該箇所にローラー６を設けてもよい。
【００３５】
したがって、刃物１を研ぎ具４に取付けるには、まず左右一対の正面挟持片２２と背面挟持片２３に指をかけて左右一対の半筒形状部材１３Ａの間隔をバネ２７に抗して広げる。そして、この左右一対の半筒形状部材１３Ａ間に握り柄２を挿入する。そして正面挟持片２２と背面挟持片２３を緩めるとバネ２７の復元力によって左右一対の半筒形状部材１３Ａが狭まることにより、左右一対の半筒形状部材１３Ａは握り柄２を緊締して固定する。
【００３６】
次に刃体３を砥石７の砥面８に接触させて、握り柄２に下向きの力を加えて、保持台５´を砥面８を前後に移動する。この際保持台５、ひいては刃物１は左右一対のローラー６が砥面８上を転動することにより移動しながら、刃体３の砥面８による研ぎ作業を行うことができる。
【００３７】
以上のように前記実施例では、実施例１と同様に研ぎ具４と砥面８との接触は、ローラー６と砥面８との面接触よりもはるかに面積が小さくなる線接触状や点接触状に近くなるので、移動に伴う摩擦を低減して研ぎ作業を行うことができるなど、実施例１と同様な効果を奏することができる。
【実施例３】
【００３８】
図５は実施例３を示しており、この実施例３では砥石７の砥面８と平行な面３１に研ぎ具４を移動自在としたものであり、刃体３を研ぎ具４に当てた状態でローラー６を面３１上に転動して研ぎ作業を行うものである。
【００３９】
このように研ぎ具４を砥面８ではなく、それと平行な面３１上をローラー６が転動しても同様な効果を奏することができる。
【産業上の利用可能性】
【００４０】
以上のように本考案にかかる研ぎ具は、ナイフや鑿などの刃の付いている各種刃物の用途に適用できる。さらに、前記固定手段は、略筒形状部材であって、上下一対の略半筒形状部材からなるようなものでもよい。
【図面の簡単な説明】
【００４１】
【図１】実施例１を示す使用状態の斜視図である。
【図２】同研ぎ具の斜視図である。
【図３】実施例２を示す使用状態の斜視図である。
【図４】同研ぎ具の斜視図である。
【図５】実施例３を示す使用状態の斜視図である。
【符号の説明】
【００４２】
１  刃物
３  刃体
５  ５´  保持台
６  ローラー
８  砥面
９  第１の中心軸線
１０  第２の中心軸線
１１  １１´  固定手段
１２  略円筒形状部材
１３  １３´  １３Ａ  略半円筒形状部材
１５  中心軸
１６  第３の中心軸線
２７  バネ（緊締手段）
Ａ  内幅
【図１】
0003136095.tif 000003
【図２】
0003136095.tif 000004
【図３】
0003136095.tif 000005
【図４】
0003136095.tif 000006
【図５】
0003136095.tif 000007